(57)【要約】【課題】高さ方向や幅方向に制限のあるスペースに、携帯端末を載置した充電台を数多く保管することに適している充電台を提供する。【解決手段】携帯端末を載置して充電を行う充電台であって、基台部１０Ａと、基台部１０Ａ上の前方側に設けられ、携帯端末の下部を収容する端末収容部１１と、端末収容部１１内に設けられ、端末収容部１１に収容された携帯端末が備える充電端子と電気的に接続するコンタクトピンと、基台部１０Ａ上の端末収容部１１の後方に設けられ、端末収容部１１に収容された携帯端末にコンタクトピンを介して電源供給するためのＡＣアダプタを露出するように取り付けるＡＣアダプタ取付部２３とを有する携帯端末の充電台。【選択図】図３
2019205267.tif 000002
【特許請求の範囲】
【請求項１】
携帯端末を載置して充電を行う充電台であって、
設置場所に載置される基台部と、
前記基台部上の前方側に設けられ、該基台部の幅方向に延在する溝状を呈し、前記携帯端末の下部を収容する端末収容部と、
前記端末収容部内に設けられ、該端末収容部に収容された前記携帯端末が備える充電端子と電気的に接続するコンタクトピンと、
前記基台部上の前記端末収容部の後方に設けられ、前記端末収容部に収容された前記携帯端末に前記コンタクトピンを介して電源供給するためのＡＣアダプタを露出するように取り付けるＡＣアダプタ取付部と、を有する携帯端末の充電台。
【請求項２】
前記ＡＣアダプタ取付部に取り付けられた前記ＡＣアダプタを固定するアダプタ固定バンドをさらに有する請求項１に記載の充電台。
【請求項３】
前記端末収容部は、前記幅方向における一方の端部に、該端末収容部に対して前記携帯端末を前記幅方向に出し入れするための端末用切欠部を備えている請求項１または２に記載の充電台。
【請求項４】
前記基台部上の前記端末収容部の後方に設けられ、溝状を呈し、前記ＡＣアダプタ取付部に取り付けられた前記ＡＣアダプタと前記コンタクトピンとを電気的に接続する充電ケーブルを収容するケーブル収容部をさらに有する請求項１乃至３のいずれか一項に記載の充電台。
【請求項５】
前記ケーブル収容部は、前記端末収容部の後方のうちの、該端末収容部の前記幅方向における端部に設けられ、
前記ＡＣアダプタ取付部は、前記端末収容部の後方のうちの、該端末収容部の前記幅方向における中央部に設けられる請求項４に記載の充電台。
【請求項６】
同じ形状およびサイズを有する他の充電台に対し、取り外し可能に前記基台部の奥行方向Ｄに連結するように構成され、
前記基台部下部の前方に設けられた係合凹部と、
前記基台部下部の後方に設けられ、連結相手である充電台の前記係合凹部と取り外し可能に係合する係合凸部と、をさらに有し、
前記係合凹部は、前記他の充電台の前記係合凸部と取り外し可能に係合可能である請求項１乃至５のいずれか一項に記載の充電台。
【請求項７】
それぞれ請求項６に記載の充電台であり、互いに取り外し可能に各前記基台部の奥行方向に連結する第１の充電台および第２の充電台と、
前記ＡＣアダプタと、
前記ＡＣアダプタと前記コンタクトピンとを電気的に接続する充電ケーブルと、を有し、
前記第１の充電台と前記第２の充電台とは、前記第１の充電台の前記端末収容部と前記第２の充電台の前記ＡＣアダプタ取付部とが対向するように連結され、
前記ＡＣアダプタは、２台以上の携帯端末に電源供給可能な電源供給能力を有すると共に、前記第１の充電台の前記ＡＣアダプタ取付部にのみ取り付けられており、前記第２の充電台の前記ＡＣアダプタ取付部には取り付けられておらず、
前記充電ケーブルは、
前記第１の充電台の前記ＡＣアダプタ取付部に取り付けられた前記ＡＣアダプタと、前記第１の充電台および前記第２の充電台れぞれの前記コンタクトピンとを電気的に接続するように、分岐している連結充電台。
【発明の詳細な説明】
【技術分野】
【０００１】
本発明は、携帯端末を載置すると共に載置した携帯端末に充電を行う携帯端末の充電台に関する。
【背景技術】
【０００２】
携帯可能な電子機器の一種である携帯端末として、例えば、ＰＯＳ（Point Of Sales）システムに用いられるタブレットタイプのＰＯＳ端末装置がある。この種の携帯端末（タブレット端末）は、板状を呈し、その板面にタッチパネル付きディスプレイ等の入出力デバイス（ユーザーインターフェース）を備えていることが多い。
【０００３】
このような携帯端末を卓や棚に載置する場合、携帯端末をタッチパネル付きディスプレイを縦向き、もしくは、後方に傾斜した状態で載置（支持）する載置台が用いられることがある。さらに、この種の載置台の中には、携帯端末が内蔵しているバッテリに対して充電する機能をも有するものがあり、これは充電台とも呼ばれる。
【０００４】
特許文献１には、携帯端末を載置して充電を行う充電台が開示されている。特許文献１において、その段落００２６に記載されているように、充電台には、ＡＣ（Alternating Current）アダプタが内蔵されている。
【先行技術文献】
【特許文献】
【０００５】
【特許文献１】特許第６０６１３６６号公報
【発明の概要】
【発明が解決しようとする課題】
【０００６】
特許文献１に開示された充電台には前述したようにＡＣアダプタが内蔵されており、その分、充電台の筐体の高さが高くなっていると推測される。また、筐体の幅方向の寸法についても、特に小さくする配慮がなされた構造ではない。即ち、特許文献１の充電台は、高さ方向や幅方向に制限のあるスペースに、携帯端末装置を載置した充電台を、できるだけ多く保管しようとする場合に適した構造ではない。
【０００７】
本発明は、上記の事情に鑑みてなされたものであり、高さ方向や幅方向に制限のあるスペースに、携帯端末を載置した充電台を数多く保管することに適している充電台を提供することを目的としている。
【課題を解決するための手段】
【０００８】
本発明によれば、携帯端末を載置して充電を行う充電台であって、設置場所に載置される基台部と、前記基台部上の前方側に設けられ、該基台部の幅方向に延在する溝状を呈し、前記携帯端末の下部を収容する端末収容部と、前記端末収容部内に設けられ、該端末収容部に収容された前記携帯端末が備える充電端子と電気的に接続するコンタクトピンと、前記基台部上の前記端末収容部の後方に設けられ、前記端末収容部に収容された前記携帯端末に前記コンタクトピンを介して電源供給するためのＡＣアダプタを露出するように取り付けるＡＣアダプタ取付部と、を有する携帯端末の充電台が得られる。
【０００９】
本発明によればまた、それぞれ前記充電台であり、互いに取り外し可能に各前記基台部の奥行方向に連結する第１の充電台および第２の充電台と、前記ＡＣアダプタと、前記ＡＣアダプタと前記コンタクトピンとを電気的に接続する充電ケーブルと、を有し、前記第１の充電台と前記第２の充電台とは、前記第１の充電台の前記端末収容部と前記第２の充電台の前記ＡＣアダプタ取付部とが対向するように連結され、前記ＡＣアダプタは、２台以上の携帯端末に電源供給可能な電Ｓ源供給能力を有すると共に、前記第１の充電台の前記ＡＣアダプタ取付部にのみ取り付けられており、前記第２の充電台の前記ＡＣアダプタ取付部には取り付けられておらず、前記充電ケーブルは、前記第１の充電台の前記ＡＣアダプタ取付部に取り付けられた前記ＡＣアダプタと、前記第１の充電台および前記第２の充電台れぞれの前記コンタクトピンとを電気的に接続するように、分岐している連結充電台が得られる。
【発明の効果】
【００１０】
本発明による携帯端末の充電台は、高さ方向や幅方向に制限のあるスペースに、携帯端末を載置した充電台を数多く保管することに適している。
【図面の簡単な説明】
【００１１】
【図１】本発明の第１の実施形態による携帯端末の充電台の、右前方から見た斜視図である。
【図２】本発明の第１の実施形態による携帯端末の充電台の、右後方から見た斜視図である。
【図３】（ａ）、（ｂ）は、本発明の第１の実施形態による携帯端末の充電台の、右前方から見た斜視図、左後方から見た斜視図である。
【図４】（ａ）、（ｂ）、（ｃ）、（ｄ）、（ｅ）は、本発明の第１の実施形態による携帯端末の充電台の、左側面図、上面図、正面図、下面図、右側面図である。
【図５】本発明の第１の実施形態による充電台の背面図である。
【図６】（ａ）は、図４（ｂ）における切断線６Ａ−６Ａに沿った充電台の断面図であり、（ｂ）は、図４（ｂ）における切断線６Ｂ−６Ｂに沿った充電台の断面図であり、（ｃ）は、図４（ｂ）における切断線６Ｃ−６Ｃに沿った充電台の断面図である。
【図７】（ａ）、（ｂ）、（ｃ）は、本発明の第１の実施形態による携帯端末の充電台に携帯端末を載置する方法を説明するための斜視図である。
【図８】（ａ）、（ｂ）は、本発明の第１の実施形態による携帯端末の充電台の載置対象物である携帯端末の、右前方から見た斜視図、右後方から見た斜視図である。
【図９】（ａ）、（ｂ）、（ｃ）、（ｄ）は、肩掛ベルトを取り外した状態の携帯端末の上面図、正面図、右側面図、背面図である。
【図１０】本発明の第２の実施形態による連結充電台における充電台の連結構造を説明するための斜視図である。
【図１１】（ａ）、（ｂ）、（ｃ）は、本発明の第２の実施形態による連結充電台の、上面図、正面図、右側面図である。
【図１２】本発明の第２の実施形態による４台の連結充電台をキャビネット内に設置した状態の右側面図である。
【図１３】（ａ）、（ｂ）、（ｃ）は、本発明の第１の実施形態による携帯端末の充電台の、上面図、正面図、右側面図である。
【図１４】図１３（ａ）における切断線１４Ａ−１４Ａに沿った充電台の断面図である。
【図１５】本発明の第２の実施形態による連結充電台における分岐ケーブル単体の平面図である。
【図１６】（ａ）は、第１の実施形態による携帯端末の充電台を２台前後方向に並べた場合の右側面図であり、（ｂ）は、本発明の第２の実施形態による連結充電台の右側面図である。
【図１７】本発明の第２の実施形態による連結充電台の上方から見た斜視図である。
【図１８】本発明の第２の実施形態による連結充電台の下方から見た斜視図である。
【発明を実施するための形態】
【００１２】
以下、本発明の実施形態を図面を参照して説明する。以下の実施形態においては、携帯端末として、ＰＯＳ（Point Of Sales）システムに用いられるタブレットタイプのＰＯＳ端末装置を例に挙げる。
【００１３】
尚、図中、符号Ｗ、Ｈ、Ｄを付した矢印はそれぞれ、本実施形態による携帯端末の充電台（の後述する基台部）の幅方向（左右方向）、高さ方向（上下方向）、奥行方向（前後方向）を表している。
【００１４】
はじめに、図８（ａ）および（ｂ）ならびに図９（ａ）〜（ｄ）を参照して、本携帯端末の充電台の載置対象物である携帯端末（ＰＯＳ端末装置）６００について説明する。尚、図９（ａ）〜（ｄ）においては、後述する肩掛ベルトを取り外した状態の携帯端末６００を示している。
【００１５】
携帯端末６００は、タブレットタイプであり、そのおもて面にタッチパネル付きディスプレイ６０２を有している。ユーザが手を差し入れるためのハンドベルト６７１と、ユーザが肩に携帯端末６００を掛けるための肩掛ベルト６８０とが装着されている。尚、ハンドベルト６７１の中央には、パッド６７２が設けられている。肩掛ベルト６８０は、携帯端末６００の裏面に設けられた対の通し孔６８０ｈ（図９（ｄ））にベルト端部を挿通してからバックルで固定されることにより、携帯端末６００に装着されている。肩掛ベルト６８０は、対の通し孔間の長さが、約１メートルである。また、下端部には、本充電台の後述するコンタクトピン６２と電気的に接続可能な、充電のための充電・端末検知端子６６２が設けられている。この携帯端末６００は、ＰＯＳシステムにおける他の装置（ホスト装置やプリンタ等）と無線通信によって通信を行うＰＯＳ端末装置として機能する。
【００１６】
［第１の実施形態］
図１〜図７ならびに図１３および図１４を参照して、本発明の第１の実施形態による携帯端末の充電台について説明する。
【００１７】
図１は、携帯端末６００を載置した充電台１０を、右前方から見た斜視図である。図２は、携帯端末６００を載置した充電台１０を、右後方から見た斜視図である。図３（ａ）は、携帯端末６００を載置していない充電台１０を、右前方から見た斜視図であり、図３（ｂ）は、携帯端末６００を載置していない充電台１０を左後方から見た斜視図である。図４（ａ）、（ｂ）、（ｃ）、（ｄ）、（ｅ）は、本発明の第１の実施形態による携帯端末の充電台１０の、左側面図、上面図、正面図、下面図、右側面図である。図５は、充電台１０の背面図である。図６（ａ）は、図４（ｂ）における切断線６Ａ−６Ａに沿った充電台の断面図であり、図６（ｂ）は、図４（ｂ）における切断線６Ｂ−６Ｂに沿った充電台の断面図であり、図６（ｃ）は、図４（ｂ）における切断線６Ｃ−６Ｃに沿った充電台の断面図である。図７（ａ）、（ｂ）、（ｃ）は、充電台１０に携帯端末を載置する方法を説明するための斜視図である。
【００１８】
さて、図１〜図７を参照すると、本発明の第１の実施形態による携帯端末の充電台１０は、肩掛ベルト６８０を装着した携帯端末６００を載置すると共に載置した携帯端末６００に充電を行う充電台（充電機能付き載置台）である。
【００１９】
充電台１０は、ＡＢＳ（Acrylonitrile-Butadiene-Styrene）樹脂等の樹脂製であり、基台部１０Ａと、端末収容部１１と、コンタクトピン６２（図４（ｂ））と、肩掛ベルト収容部２１と、ＡＣアダプタ取付部２３と、アダプタ固定バンド２３６と、ケーブル収容部２２とを有している。
【００２０】
基台部１０Ａは、机上やキャビネットの棚上等の設置場所に載置される。端末収容部１１は、基台部１０Ａ上の前方側に設けられ、基台部１０Ａの幅方向Ｗに延在する溝状を呈し、携帯端末６００の下部を収容する。コンタクトピン６２は、端末収容部１１内に設けられ、プローブピンタイプであり、端末収容部１１に収容された携帯端末６００が備える充電・端末検知端子６６２（図９（ｄ）参照）と電気的に接続する。
【００２１】
肩掛ベルト収容部２１は、基台部１０Ａ上の端末収容部１１の後方に設けられ、幅方向Ｗに延在する溝状を呈し、端末収容部１１に載置された携帯端末６００の肩掛ベルト６８０の少なくとも一部分を収容する。
【００２２】
ＡＣアダプタ取付部２３は、基台部１０Ａ上の端末収容部１１の後方に設けられ、端末収容部１１に収容された携帯端末６００にコンタクトピン６２を介して電源供給するためのＡＣアダプタ７００を取り付けるように構成されている。アダプタ固定バンド２３６は、ＡＣアダプタ取付部２３に形成された孔部に挿通されており、ＡＣアダプタ取付部２３に取り付けられたＡＣアダプタ７００を固定する。
【００２３】
ケーブル収容部２２は、基台部１０Ａ上の端末収容部１１の後方に設けられ、溝状を呈し、ＡＣアダプタ取付部２３に取り付けられたＡＣアダプタ７００とコンタクトピン６２とを電気的に接続する充電ケーブル８００を収容する。
【００２４】
端末収容部１１は、幅方向Ｗにおける一方の端部（本例においては右端部）に、端末収容部１１に対して携帯端末６００を幅方向Ｗに出し入れするための端末用切欠部１１８を備えている。
【００２５】
肩掛ベルト収容部２１は、端末収容部１１の後方のうちの、端末収容部１１の幅方向Ｗにおける一方の端部である右端部側に設けられている。また、肩掛ベルト収容部２１は、幅方向Ｗにおける一方の端部に、肩掛ベルト収容部２１に対して肩掛ベルト６８０を幅方向Ｗに導出および導入するためのベルト用切欠部２１８を備えている。
【００２６】
ケーブル収容部２２は、端末収容部１１の後方のうちの、端末収容部１１の、幅方向Ｗにおける他方の端部（本例においては左端部）側に設けられている。
【００２７】
ＡＣアダプタ取付部２３は、端末収容部１１の後方のうちの、肩掛ベルト収容部とケーブル収容部２２との間に設けられる。
【００２８】
以下、充電台１０について、より詳しく説明する。
【００２９】
図１、図２に示すように、携帯端末６００は、所定の角度（本実施例では、８０度）で充電台１０に載置されている。肩掛ベルト６８０は重層に折り畳まれて、端末収容部１１の後方右側に設けられた肩掛ベルト収容部２１に収容されている。携帯端末６００には、ユーザが手を差し入れるハンドベルト６７１も装着されている。充電台１０の後部中央には、ＡＣアダプタ７００が固定ベルトで固定されている。ＡＣアダプタ７００から延び、先端にプラグを備えた充電ケーブル８００は、２つのケーブル案内具２２６を介して、基台部１０Ａの内部に案内されている。尚、ＡＣアダプタ７００のＡＣコード７１０については、途中で図示を省略している。
【００３０】
図３（ａ）および（ｂ）に示すように、充電台１０は、基台部１０、端末収容部１１、立設部１１３、肩掛ベルト収容部２１、およびケーブル収容部２２を有している。端末収容部１１の前部の内側面には、充電台１０に載置された携帯端末６００が前へ倒れることを防止する倒れ防止凸部１１５が２箇所に設けられている。立設部１１３には、充電台１０に載置された携帯端末６００の対応する凹部６００ｄに当接する端末受け凸部１１７が２箇所に設けられている。ケーブル収容部２２には、２つのケーブル案内具２２６が取り付けられている。
【００３１】
図４（ａ）〜（ｅ）ならびに図５に示すように、充電台１０は、基台部１０と、端末収容部１１と、立設部１１３と、ケーブル収容部２２と、肩掛ベルト収容部２１とを有する。端末収容部１１、肩掛ベルト収容部２１、およびケーブル収容部２２は、基台部１０の上に設けられている。正面視で、端末収容部１１の後部中央に立設部１１３が設けられ、端末収容部１１の後部左にケーブル収容部２２が設けられ、端末収容部１１の後部右に肩掛ベルト収容部２１が設けられている。
【００３２】
基台部１０は、充電制御部を搭載した回路基板（図示せず）と、充電ケーブル８００の端部に設けられたプラグを接続するコネクタ６４（図１０参照）とを内蔵している。基台部１０の下面（底面）には、前部に２箇所の脚部１０２と、後部に４箇所の脚部１０３とが設けられている。これら脚部の表面は、充電台１０のすべり止めとして弾性を有する材料から成っている。
【００３３】
前部の２箇所の脚部１０２間には、２箇所に連結用係合凹部１０４が設けられ、後部の内側２箇所の脚部１０３は、２箇所の連結用係合凸部１０５を兼ねている。図１０を併せ参照すると明らかなように、２箇所の連結用係合凹部１０４は、本充電台１０（図１０における充電台１０−２）の前方に連結される他の充電台１０（図１０における充電台１０−１）の２箇所の連結用係合凸部１０５と係合可能である。一方、２箇所の連結用係合凸部１０５は、本充電台１０（図１０における充電台１０−１）の後方に連結される他の充電台１０（図１０における充電台１０−２）の２箇所の連結用係合凹部１０４と係合可能である。即ち、２箇所の連結用係合凹部１０４と２箇所の連結用係合凸部１０５とを係合することによって、２つの充電台（図１０における充電台１０−１と充電台１０−２）を連結することが可能である。連結用係合凸部１０５はまた、基台部１０Ａから奥行方向Ｄに突出（延在）しているため、充電台１０の安定性を高め、充電台１０の後方にＡＣアダプタ７００が取り付けられたり、充電台１０に携帯端末６００が縦向きに載置されるにもかかわらず、充電台１０が奥行方向Ｄに転倒することがない。
【００３４】
端末収容部１１は、携帯端末６００を載置する時にガイドするとともに、携帯端末６００の下部を収容する。図４（ｂ）に示すように、端末収容部１１の立設部１１３には、載置の際に、携帯端末６００をガイドする端末ガイド凸部１１６が２箇所に設けられている。また、図３（ａ）に示すように、端末収容部１１の立設部１１３には、載置した際に、携帯端末６００の下部に設けられた凹部６００ｄ（図８（ｂ））に当接する端末受け凸部１１７が２箇所に設けられている。また、充電台１０の上面図である図４（ｂ）に示すように、端末収容部１１には、携帯端末６００の下面中央の凹部内に設けられた充電のための二接点と携帯端末が充電台１０に載置されたことを検出するための二接点を含む充電・端末検知端子６６２（図９（ｄ）参照）に接触するプローブタイプのコンタクトピン６２が設けられている。コンタクトピン６２の近傍には、携帯端末６００の下面中央の凹部内にさらに凹んで設けられた４箇所の凹部（図示せず）と嵌合する４箇所のガイド凸部１２０が設けられている。端末収容部１１には、正面視で右側に端末用切欠部１１８が設けられている。図６（ｂ）に示すように、端末用切欠部１１８の高さは、端末収容部１１の左側の端部の高さよりも低く、コンタクトピン６２の近傍に設けられている４箇所のガイド凸部１２０よりも高い。端末用切欠部１１８は、充電台１０が携帯端末６００を上側から載置することができないような空間に設置される場合に、充電台１０に携帯端末６００を幅方向Ｗの横側から載置するために設けられている。
【００３５】
次に、図７（ａ）〜（ｃ）を参照して、本発明の第１の実施形態による充電台１０に携帯端末６００を横側から載置する方法について説明する。尚、図７においては、ＡＣアダプタ７００の固定ベルトは図示しておらず、ＡＣアダプタ７００のＡＣコードは途中で図示を省略している。
【００３６】
図７（ａ）および（ｂ）に示すように、ユーザは、携帯端末６００を把持しながら、その左端部を端末用切欠部１１８に載せる。次いで、図７（ｃ）に示すように、ユーザは、携帯端末６００の左端部が端末収容部１１の左端部に接触するまで、幅方向Ｗにおける左方向に移動させる。その後、ユーザが携帯端末６００の把持を止めると、携帯端末６００の下端部は自重で端末収容部１１内に落ち込み、充電台１０に載置された状態となる。一方、携帯端末６００を充電台１０から取り出す時は、ユーザは、携帯端末６００を把持して上方に持ち上げ、その右端部を端末用切欠部１１８に載せた後、端末用切欠部１１８に沿って幅方向Ｗにおける右方向に移動させて引き出す。このようにして、充電台１００が携帯端末６００を上側から載置することができないような空間にある場合であっても、充電台１０に携帯端末６００を載置したり、充電台１０から携帯端末６００を取り出したりすることができる。
【００３７】
図４（ｂ）に示すように、端末収容部１１内の底面の後方寄りには、充電台１０の下面にまで連通する水抜孔１１９が３箇所に設けられている。端末収容部１１内の底面が、図６（ｃ）に示すように、奥行方向Ｄの後方に行くにつれて下降するように傾斜しているため、端末収容部１１に水等の液体が浸入したとしても、水抜孔１１９を通して、充電台１０の外部に排出される。
【００３８】
図３（ａ）に示すように、立設部１１３は、正面視で、端末収容部１１の後部中央に設けられている。立設部１１３は、端末収容部１１の内側面に連続し、所定の角度（本実施例では、８０度）で傾斜している。立設部１１３の高さは、図２に示すように、充電台１０に携帯端末６００を載置した際に、携帯端末６００のハンドベルト６７１と干渉しない高さである。立設部１１３の裏面には、図３（ｂ）に示すように、ＡＣアダプタ７００を取り付けるアダプタ取付部２３が設けられている。アダプタ取付部２３は、ＡＣアダプタ７００を固定する固定ベルト２３６を通すための固定ベルト用孔２３５を備えている。
【００３９】
肩掛ベルト収容部２１は、図３（ａ）および（ｃ）、図６（ａ）および（ｃ）に示すように、正面視で、端末収容部１１の右端部の後方に設けられている。肩掛ベルト収容部２１には、図２に示すように、重層に折り畳まれた肩掛ベルト６８０を収容することができる。肩掛ベルト収容部２１は、端末収容部１１の右側後方において、幅方向Ｗに延在する溝状の空間を有している。溝状の空間の上側と右側は連続して開放されているため、肩掛ベルト６８０を、上側から、右側から、斜め右上からのいずれの方向からでも収容することができる。また、溝状の空間は、図６（ｃ）に示すように、上方に向かって広がるテーパ状を呈している。溝状の空間はまた、図６（ｃ）に示すように、端末収容部１１と隣り合う奥行方向Ｄにおける前方側の壁面の高さよりも、後方側の壁面の高さが低くなっている。さらに、肩掛ベルト収容部２１は、図６（ａ）に示すように、肩掛ベルト収容部２１の壁部の角部２１７は角が取れた形状となっている。肩掛ベルト収容部２１はこれら独自の形状により、重層に折り畳まれた肩掛ベルト６８０を収容することを容易に行うことができる。尚、肩掛ベルト収容部２１の壁部の角部は、アールの形状であってもよい。また、図６（ａ）に示すように、溝状の空間の左端部２１２は、アール形状となっており、溝状の空間内に入り込んだ塵埃を除去することを容易に行うことができる。さらに、肩掛ベルト収容部２１は、幅方向Ｗにおいて、端末収容部１１の端末用切欠部１１８と同じ右側に設けられているため、充電台１０が携帯端末６００を上側から載置することができないような空間にある場合であっても、幅方向Ｗに沿って、即ち、側方から充電台１０の端末収容部１１に携帯端末６００を載置すると共に、肩掛ベルト収容部２１に重層に折り畳まれた肩掛ベルト６８０を収容することができる。
【００４０】
ケーブル収容部２２は、図３や図６（ａ）に示すように、端末収容部１１の左側後方に設けられている。ケーブル収容部２２は、充電台を２台連結して使用する場合に、１台のＡＣアダプタ７００の出力を２台の充電台に分岐するために用いられる分岐タイプの充電ケーブルを収容可能である。ケーブル収容部２２は、充電台を単体で使用する場合には、充電ケーブル８００のうち、充電台１０の下部に配線された残部を収容する。
【００４１】
図１３（ａ）、（ｂ）、（ｃ）は、本発明の第１の実施形態による携帯端末の充電台の、上面図、正面図、右側面図である。図１４は、図１３（ａ）における切断線１４Ａ−１４Ａに沿った充電台の断面図である。図１４中、充電台１０の筐体（基台部１０Ａ）の断面は、狭い間隔の斜線で示す。ＡＣアダプタ７００の断面は、広い間隔の斜線で示す。アダプタ固定バンド２３６は、斜線なしで示している。
【００４２】
図１３（ａ）〜（ｃ）ならびに図１４をさらに参照すると、本発明の第１の実施形態による携帯端末の充電台１０において、端末収容部１１が、幅方向Ｗにおける一方の端部に、端末収容部に対して携帯端末６００を幅方向Ｗに出し入れするための端末用切欠部１１８を備えているため、高さ方向に制限のあるスペース（例えばキャビネットの棚）であっても、携帯端末６００を載置することができる。
【００４３】
また、ＡＣアダプタ７００は、略直方体であるＡＣアダプタ７００本体の最も広い面が起立するように、即ち、ＡＣアダプタ７００本体の最も広い面が充電台１０の高さ方向Ｈに沿うように、充電台１０にアダプタ固定バンド２３６で固定されている。アダプタ固定バンド２３６は、両方の端部に面ファスナを有しており、これによって端部同士が締結される。連結用係合凸部１０５は、充電台１０を１台で使用する際は、奥行方向Ｄの安定性に寄与するが、奥行方向Ｄにおいて、ＡＣアダプタ７００を越えないように設けられている。
【００４４】
充電台１０の筐体にＡＣアダプタ７００を内蔵しないため、充電台１０の高さを低くすることができる。また、充電台１０の奥行方向Ｄの寸法を小さくすることができると共に、充電台１０の筐体のコストを低減することことができる。また、ＡＣアダプタ７００本体の最も広い面が起立するように充電台１０に固定されているため、ＡＣアダプタ７００を取り付けた充電台１０の奥行方向Ｄの占有スペースを小さくすることができる。
【００４５】
したがって、幅方向に制限のあるスペース（例えばキャビネットの棚）であっても、携帯端末６００を載置した充電台１０を数多く保管することができる。
【００４６】
上述した第１の実施形態による充電台は、充電台にＡＣアダプタを内蔵しないため、充電台の高さを低くすることができる。また、奥行方向の寸法を小さくすることができる。その結果、幅方向に制限のあるスペース（例えばキャビネットの棚）であっても、携帯端末を載置した充電台を数多く保管することができる。
【００４７】
［第２の実施形態］
次に、図１０、図１１（ａ）〜（ｃ）、図１２、図１５、図１６（ａ）および（ｂ）、図１７、図１８を参照して、本発明の第２の実施形態について説明する。尚、図１７および図１８中、ＡＣアダプタ７００のＡＣコード７１０については、途中で図示を省略している。
【００４８】
第２の実施形態による携帯端末の充電台は、２台の充電台が連結された連結充電台である点で第１の実施形態の充電台とは異なる。それ以外の構成については、第１の実施形態と同様であるため、必要に応じて第１の実施形態の図面および説明を援用することとし、詳細な説明は省略する。
【００４９】
図１０〜図１２、図１７、図１８を参照すると、本発明の第２の実施形態の連結充電台は、それぞれ第１の実施形態の充電台１０と同じであり、互いに取り外し可能に各基台部１０Ａの前後方向に連結する第１の充電台１０−１および第２の充電台１０−２を有している。
【００５０】
第１の充電台１０−１および第２の充電台１０−２はそれぞれ、基台部１０Ａと、端末収容部１１と、肩掛ベルト収容部２１と、ＡＣアダプタ取付部２３と、ケーブル収容部２２とを有している。
【００５１】
ＡＣアダプタ取付部２３は、第１の実施形態と同様に、基台部１０Ａ上の端末収容部１１の後方に設けられ、端末収容部１１に収容された携帯端末にコンタクトピン６２を介して電源供給するためのＡＣアダプタ７００を取り付ける。
【００５２】
ケーブル収容部２２は、第１の実施形態と同様に、基台部１０Ａ上の端末収容部１１の後方に設けられ、溝状を呈し、ＡＣアダプタ取付部２３に取り付けられたＡＣアダプタ７００とコンタクトピン６２とを電気的に接続する充電ケーブルを収容する。
【００５３】
ＡＣアダプタ７００は、１つの連結充電台に対して１つのみ用いられ、２台以上の携帯端末に電源供給可能な電源供給能力を有している。ＡＣアダプタ７００は、第１の充電台１０−１のＡＣアダプタ取付部２３に取り付けられる。
【００５４】
本例において、充電ケーブルは、充電ケーブル８００と、分岐ケーブル８００ａとから成り、第１の充電台１０−１のＡＣアダプタ取付部２３に取り付けられた１つのＡＣアダプタ７００と第１の充電台１０−１および第２の充電台１０−２それぞれのコンタクトピン６２と電気的に接続するように、分岐している。
【００５５】
分岐ケーブル８００ａは、その一部が第１の充電台１０−１のケーブル収容部２２に収容される。
【００５６】
図１８中、符号１０７は、基台部１０Ａの裏側にネジ止めされた、板金製のウェイト板を示している。第１の充電台１０−１、第２の充電台１０−２は、樹脂製であって比較的軽量であるが、板金製のウェイト板１０７が取り付けられることにより、重量がアップし、携帯端末７００を出し入れ時であっても、位置がズレたり、転倒することなく、安定して載置することができる。
【００５７】
図１０を参照すると、第１の充電台１０−１の２箇所の連結用係合凹部１０４に、第２の充電台１０−２の２箇所の連結用係合凸部１０５を係合させた後、裏面に連結板４０を４本のネジで固定する。これにより、第１の充電台１０−１と第２の充電台１０−２とが連結した状態で固定される。
【００５８】
ＡＣアダプタ７００は１台で２台の携帯端末に充電電圧を供給することができる。このため、図１１に示すように、本連結充電台に対して１台のみ使用される。ＡＣアダプタ７００の出力は、充電ケーブル８００を経て、分岐ケーブル８００ａによって２台の第１の充電台１０−１および第２の充電台１０−２に供給される。分岐ケーブル８００ａ単体の平面図である図１５を併せ参照すると、分岐ケーブル８００ａは、充電ケーブル８００のプラグを接続するコネクタ８０１ａと、充電ケーブル８００のプラグと同様のプラグ８０２ａおよび８０３ａとを備えている。分岐ケーブル８００ａのプラグ８０２ａは第１の充電台１０−１のコンタクトピン６２と電気的に接続しており、プラグ８０３ａは第２の充電台１０−２のコンタクトピン６２と電気的に接続している。分岐ケーブル８００ａは、２つのケーブル案内具を介して第１の充電台１０−１のケーブル収容部２２に収容されている。尚、前側の充電台である第２の充電台１０−２には、２つのケーブル案内具は取り付けられていない。また、図１１において、ＡＣアダプタ７００のＡＣコードについては途中で図示を省略している。
【００５９】
図１２は、第２の実施形態による４台の連結充電台をキャビネットＣＴ内の棚板上に設置した状態の右側面図である。これら４台の連結充電台には、合計８台の携帯端末６００が収容されている。図１２に示すように、８台の携帯端末６００の肩掛ベルトは、重層に折り畳まれて、それぞれが載置されている充電台の肩掛ベルト収容部に収容されている。
【００６０】
キャビネットＣＴの棚板と天井との間のスペースは携帯端末６００を上方から載置するだけの高さを有していない。しかし、各充電台の端末収容部１１（図１１（ａ））が端末用切欠部１１８（図１１（ｃ））を有しているため、携帯端末６００を端末収容部１１に対して図１２中紙面に垂直な方向に載置したり、取り出したりすることができる。また、幅方向Ｗにおける端末用切欠部１１８と同じ側に肩掛ベルト収容部２１が設けられているため、携帯端末６００を各充電台に載置した後、重層に折り畳まれた肩掛ベルトを図１２中紙面に垂直な方向に収容することが可能である。このため、肩掛ベルトの態勢を整える作業に関するユーザの負担を軽減できる。また、これによって、高さ方向について省スペース化を図ることができる。
【００６１】
尚、図示しないが、キャビネットＣＴに扉を設け、携帯端末や充電台の盗難防止のために施錠可能に構成してもよい。
【００６２】
図１６（ａ）は、本発明の第２の実施形態の比較例として、第１の実施形態による充電台１０を基台部の奥行方向Ｄに２台、連結することなく並べた場合を示している。一方、図１６（ｂ）は、本発明の第２の実施形態の連結充電台、即ち、基台部の奥行方向Ｄに互いに連結された第１の充電台１０−１および第２の充電台１０−２を示している。
【００６３】
図１６（ａ）および図１６（ｂ）を併せ参照すれば明らかなように、連結で使用する場合の充電台は、前方側に連結した第２の充電台１０−２にはＡＣアダプタ７００が搭載されていないため、１台で使用する場合の充電台を２台並べた場合に比べ、収容スペースの幅方向（充電台の奥行方向Ｄ）の占有スペースを少なくすることができる。
【００６４】
上述した第２の実施形態による連結充電台も、充電台にＡＣアダプタを内蔵しないため、充電台の高さを低くすることができる。また、奥行方向の寸法を小さくすることができる。特に、奥行方向の寸法は、前方側に連結した第２の充電台にＡＣアダプタが搭載されないため、第１の実施形態よりも小さくすることができる。その結果、幅方向に制限のあるスペース（例えばキャビネットの棚）であっても、携帯端末を載置した充電台を第１の実施形態よりも数多く保管することができる。
【００６５】
尚、本発明は、以上説明した第１、第２の実施形態には限定されない。
【００６６】
例えば、上述した第１、第２の実施形態においては、肩掛けベルトを備える携帯端末を充電対象としているため肩掛けベルト収容部を有しているが、肩掛けベルトを備えない携帯端末６００を充電対象とするのであれば、肩掛けベルト収容部を有していなくともよい。
【符号の説明】
【００６７】
１０    充電台
１０−１  第１の充電台
１０−２  第２の充電台
１０Ａ  基台部
１０２、１０３  脚部
１０４  連結用係合凹部
１０５  連結用係合凸部
１０７  ウェイト板
１１    端末収容部
１１３  立設部
１１５  倒れ防止凸部
１１６  端末ガイド凸部
１１７  端末受け凸部
１１８  端末用切欠部
１１９  水抜孔
１２０  ガイド凸部
２１    肩掛ベルト収容部
２１８  ベルト用切欠部
２２    ケーブル収容部
２２６  ケーブル案内具
２３    ＡＣアダプタ取付部
２３６  アダプタ固定バンド
４０    連結板
６２    コンタクトピン
６００    携帯端末
６００ｄ  凹部
６０２    タッチパネル付きディスプレイ
６６２    充電・端末検知端子
６７１    ハンドベルト
６７２    パッド
６８０    肩掛ベルト
６８０ｈ  通し孔
７００    ＡＣアダプタ
７１０    ＡＣコード
８００    充電ケーブル
８００ａ  分岐ケーブル
８０１ａ  コネクタ
８０２ａ、８０３ａ  プラグ
【図１】
2019205267.tif 000003
【図２】
2019205267.tif 000004
【図３】
2019205267.tif 000005
【図４】
2019205267.tif 000006
【図５】
2019205267.tif 000007
【図６】
2019205267.tif 000008
【図７】
2019205267.tif 000009
【図８】
2019205267.tif 000010
【図９】
2019205267.tif 000011
【図１０】
2019205267.tif 000012
【図１１】
2019205267.tif 000013
【図１２】
2019205267.tif 000014
【図１３】
2019205267.tif 000015
【図１４】
2019205267.tif 000016
【図１５】
2019205267.tif 000017
【図１６】
2019205267.tif 000018
【図１７】
2019205267.tif 000019
【図１８】
2019205267.tif 000020
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
携帯端末を載置して充電を行う充電台であって、
設置場所に載置される基台部と、
前記基台部上の前方側に設けられ、該基台部の幅方向に延在する溝状を呈し、前記携帯端末の下部を収容する端末収容部と、
前記端末収容部内に設けられ、該端末収容部に収容された前記携帯端末が備える充電端子と電気的に接続するコンタクトピンと、
前記基台部上の前記端末収容部の後方に設けられ、前記端末収容部に収容された前記携帯端末に前記コンタクトピンを介して電源供給するためのＡＣアダプタを露出するように取り付けるＡＣアダプタ取付部と、を有し、
前記基台部上の前記端末収容部の後方に設けられ、溝状を呈し、前記ＡＣアダプタ取付部に取り付けられた前記ＡＣアダプタと前記コンタクトピンとを電気的に接続する充電ケーブルを収容するケーブル収容部をさらに有し、
前記ケーブル収容部は、前記端末収容部の後方のうちの、該端末収容部の前記幅方向における端部に設けられ、
前記ＡＣアダプタ取付部は、前記端末収容部の後方のうちの、該端末収容部の前記幅方向における中央部に設けられる携帯端末の充電台。
【請求項２】
前記ＡＣアダプタ取付部に取り付けられた前記ＡＣアダプタを固定するアダプタ固定バンドをさらに有する請求項１に記載の充電台。
【請求項３】
前記端末収容部は、前記幅方向における一方の端部に、該端末収容部に対して前記携帯端末を前記幅方向に出し入れするための端末用切欠部を備えている請求項１または２に記載の充電台。
【請求項４】
同じ形状およびサイズを有する他の充電台に対し、取り外し可能に前記基台部の奥行方向に連結するように構成され、
前記基台部下部の前方に設けられた係合凹部と、
前記基台部下部の後方に設けられ、連結相手である充電台の前記係合凹部と取り外し可能に係合する係合凸部と、をさらに有し、
前記係合凹部は、前記他の充電台の前記係合凸部と取り外し可能に係合可能である請求項１乃至３のいずれか一項に記載の充電台。
【請求項５】
互いに同じ形状およびサイズを有すると共に、互いに取り外し可能に連結する第１の充電台および第２の充電台と、
ＡＣアダプタと、
前記ＡＣアダプタと前記コンタクトピンとを電気的に接続する充電ケーブルと、を有し、
前記第１の充電台および前記第２の充電台はそれぞれ、
携帯端末を載置して充電を行う充電台であって、
設置場所に載置される基台部と、
前記基台部上の前方側に設けられ、該基台部の幅方向に延在する溝状を呈し、前記携帯端末の下部を収容する端末収容部と、
前記端末収容部内に設けられ、該端末収容部に収容された前記携帯端末が備える充電端子と電気的に接続するコンタクトピンと、
前記基台部上の前記端末収容部の後方に設けられ、前記端末収容部に収容された前記携帯端末に前記コンタクトピンを介して電源供給するための前記ＡＣアダプタを露出するように取り付けるＡＣアダプタ取付部と、
前記基台部下部の前方に設けられた係合凹部と、
前記基台部下部の後方に設けられ、連結相手である充電台の前記係合凹部と取り外し可能に係合する係合凸部と、を有し、
前記第１の充電台および前記第２の充電台は、前記基台部の奥行方向に連結するものであり、
前記第１の充電台および前記第２の充電台のうちの一方の前記係合凹部は、該第１の充電台および該第２の充電台のうちの他方の前記係合凸部と取り外し可能に係合可能であり、
前記第１の充電台と前記第２の充電台とは、前記第１の充電台の前記端末収容部と前記第２の充電台の前記ＡＣアダプタ取付部とが対向するように連結され、
前記ＡＣアダプタは、２台以上の携帯端末に電源供給可能な電源供給能力を有すると共に、前記第１の充電台の前記ＡＣアダプタ取付部にのみ取り付けられており、前記第２の充電台の前記ＡＣアダプタ取付部には取り付けられておらず、
前記充電ケーブルは、前記第１の充電台の前記ＡＣアダプタ取付部に取り付けられた前記ＡＣアダプタと、前記第１の充電台および前記第２の充電台れぞれの前記コンタクトピンとを電気的に接続するように、分岐している連結充電台。
【請求項６】
前記ＡＣアダプタ取付部に取り付けられた前記ＡＣアダプタを固定するアダプタ固定バンドをさらに有する請求項５に記載の連結充電台。
【請求項７】
前記端末収容部は、前記幅方向における一方の端部に、該端末収容部に対して前記携帯端末を前記幅方向に出し入れするための端末用切欠部を備えている請求項５または６に記載の連結充電台。
【請求項８】
前記基台部上の前記端末収容部の後方に設けられ、溝状を呈し、前記ＡＣアダプタ取付部に取り付けられた前記ＡＣアダプタと前記コンタクトピンとを電気的に接続する充電ケーブルを収容するケーブル収容部をさらに有する請求項５乃至７のいずれか一項に記載の連結充電台。
【請求項９】
前記ケーブル収容部は、前記端末収容部の後方のうちの、該端末収容部の前記幅方向における端部に設けられ、
前記ＡＣアダプタ取付部は、前記端末収容部の後方のうちの、該端末収容部の前記幅方向における中央部に設けられる請求項８に記載の連結充電台。